(57)【要約】      （修正有）【課題】電子申請を行った検査員の特定が後でできる、車検電子申請システムを提供する。【解決手段】車検電子申請システム１は、車検の電子申請が可能なインターネット接続ソフトウェア２を備え、インターネット接続ターミナル３を用いてインターネット回線を介して電子申請操作を可能にする入力装置及びディスプレイ５を有する操作端末装置６と、車検の電子申請を行う検査員の生体情報を取得する生体情報取得装置と、生体情報取得装置から得られた生体情報を記憶する記憶装置８と、検査員が車検の電子申請を行う際に、検査員の生体情報が取得されて記憶装置に記憶されていることを条件に操作端末からの車検の電子申請の配信を可能にする検査員証拠保全装置９と、を有する。【選択図】図１
2019021280.tif 000002
【特許請求の範囲】
【請求項１】
車検をインターネット上で電子申請するための車検電子申請システムであって、
車検の電子申請が可能なインターネット接続ソフトウェアを備え、インターネットを介して電子申請操作を可能にする入力装置及びディスプレイを有する操作端末装置と、
前記車検の電子申請を行う検査員の生体情報を取得する生体情報取得装置と、前記生体情報取得装置から得られた生体情報を記憶する記憶装置と、
前記検査員が前記車検の電子申請を行う際に、前記検査員の生体情報が取得されて前記記憶装置に記憶されていることを条件に前記操作端末からの前記車検の電子申請の配信を可能にする検査員証拠保全装置と、
を有し、
前記記憶装置は、前記生体情報を取得した日時又は生体情報の取得を条件にして行った車検の電子申請送信日時を前記検査員の生体情報と関連付けて記憶し、当該記憶内容を読出し可能な装置である、車検電子申請システム。
【請求項２】
前記生体情報取得装置は、前記検査員から指紋情報を採取するものであることを特徴とする、請求項１に記載の車検電子申請システム。
【請求項３】
前記記憶装置は、生体情報の取得を条件にして行った前記車検の電子申請内容又は車検の対象となる車の点検結果に関する情報を前記検査員の生体情報と関連付けて記憶することを特徴とする、請求項１に記載の車検電子申請システム。
【請求項４】
前記記憶装置は、少なくとも、かじ取り装置、ブレーキドラムおよびブレーキシューを含む制動装置、ホイール等の走行装置、クラッチ等の動力伝達装置、バッテリー等の電気装置、エンジン、ばい煙および警報機について順次点検を行うに際して、実際の検査を当該自動車の検査員が行う状態を示す写真情報又は動画情報を、前記検査員の生体情報と関連付けて記憶することを特徴とする、請求項１に記載の車検電子申請システム。
【発明の詳細な説明】
【技術分野】
【０００１】  本発明は、自動車の使用者において行うことが義務付けられている自動車の車検の電子申請システムに係り、特に、自動車の検査を行った検査員の責任を明確にできるシステムに関する。
【背景技術】
【０００２】  自動車（小型特殊自動車を除く。）の使用者は、国土交通大臣の行う検査を受け、有効な自動車検査証（以下「車検証」という。）の交付を受けているものでなければ、これを運行の用に供してはならないとされている（同法第５８条）。この車検証には、有効期間が定められおり、有効期間が過ぎると、継続検査を受けなければならないとされている（同法第６２条）。これはいわゆる車検と呼ばれるものである（以下「車検」と記す。）車検証の交付を受けるためには、国土交通大臣の認定を受けた指定整備工場において、同認定を受けた自動車車検整備業務を行う自動車検査員（以下これらを「検査員」と記す。）に検査を委託するか、もしくは自動車の使用者が、国の自動車検査場（以下「車検場」と記す。）に当該自動車を持って行って検査を受ける必要がある。【０００３】  車検証の交付を受けるためには、定期点検を前もって行っていることが前提となっており点検整備記録簿が、必要不可欠のものとなっている。車検の実施に伴う指定自動車整備事業者の整備記録簿の作成業務の実施の合理化のために電子計算装置（以下「操作端末装置６」と記す。）を使用することは知られている。また、車検の実施の合理化のために車検をインターネット上で電子申請することが可能である。このためにはインターネット接続ソフトウェアを備え、インターネットを介して電子申請操作を可能にする入力装置及びディスプレイを有する操作端末装置（電子計算装置（以下「操作端末装置６」等）が必要である。【０００４】  現在操作端末装置を使用して車検の電子申請操作を行うためには当該検査員があらかじめ登録したユーザーＩＤとパスワードが必要とされている。車検の電子申請は、これを行う資格のある検査員が検査等を実施した後に車検の申請を自ら行うことが法律に規定されている。検査員本人の確認は、上述したユーザーＩＤとパスワードが必要であるが、これらは盗用される危険があり違法な車検が行われる可能性が否定できない。【０００５】  一般的には操作をする者の本人確認を必要とする場合、あらかじめ個人の生体情報等をメインのシステムに登録し、操作時に操作するもの（検査員等）が生体情報を入力操作し、この情報がメインのシステムにあらかじめ登録した情報と一致するかを確認し、確認が取れた段階で操作が許可される保安システムが存在する（特許文献１参照）。
【特許文献１】特許４２８１２０８号公報
【発明の開示】
【発明が解決しようとする課題】
【０００６】  車検を指定自動車整備事業者（以下「整備事業者」と記す。）が行う場合、検査員が他人のユーザーＩＤとパスワードを盗用できないようにする必要があるが、個人の生体情報等をメインのシステムに登録し、操作時に操作する者（検査員等）が生体情報を入力操作し、この情報がメインのシステムにあらかじめ登録した情報と一致するかを確認するような複雑なシステムは、零細な整備事業者には経済的な負担が大きい。また、点検を行う検査員は、種々の車の点検を行うので油などの手の汚れで、生体認識が適切に行えないなどの問題が生じることが予測される。本願発明は、簡素な構成の操作端末装置を用いて、検査員以外が行った違法な車検申請を事後に検証することが可能で、盗用された検査員が違法行為をしたものではないことが立証できるシステムを提供することを目的とする。
【課題を解決するための手段】
【０００７】  このような課題を解決するための本発明の技術的手段は、車検をインターネット上で電子申請するための車検電子申請システムであって、
車検の電子申請が可能なインターネット接続ソフトウェアを備え、インターネットを介して電子申請操作を可能にする入力装置及びディスプレイを有する操作端末装置と、
前記車検の電子申請を行う検査員の生体情報を取得する生体情報取得装置と、前記生体情報取得装置から得られた生体情報を記憶する記憶装置と、
前記検査員が前記車検の電子申請を行う際に、前記検査員の生体情報が取得されて前記記憶装置に記憶されていることを条件に前記操作端末からの前記車検の電子申請の配信を可能にする検査員証拠保全装置と、
を有し、
前記記憶装置は、前記生体情報を取得した日時又は生体情報の取得を条件にして行った車検の電子申請送信日時を前記検査員の生体情報と関連付けて記憶し、当該記憶内容を読出し可能な装置としている。【０００８】  更に、前記記憶装置は、生体情報の取得を条件にして行った前記車検の電子申請内容又は車検の対象となる車の点検結果に関する情報を前記検査員の生体情報と関連付けて記憶する構成としてもよい。また、前記記憶装置は、少なくとも、かじ取り装置、ブレーキドラムおよびブレーキシューを含む制動装置、ホイール等の走行装置、クラッチ等の動力伝達装置、バッテリー等の電気装置、エンジン、ばい煙および警報機について順次点検を行うに際して、実際の検査を当該自動車の検査員が行う状態を示す写真情報又は動画情報を、前記検査員の生体情報と関連付けて記憶する構成としてもよい。
【発明の効果】
【０００９】  このような構成からなる車検電子申請システムによれば、検査員証拠保全装置を備えているので、検査員以外が行った違法な車検申請を事後に検証することが可能で、盗用された検査員が違法行為をしたものではないことが立証できる。
【図面の簡単な説明】
【００１０】
【図１】  本発明の実施例に係る車検電子申請システムの構成図。
【発明を実施するための形態】
【００１１】  以下、添付図面に基づいて本発明の実施例に係る車検電子申請システムについて説明する。本発明の実施例に係る車検電子申請システム１は、車検の電子申請が可能なインターネット接続ソフトウェア２を備え、インターネット接続ターミナル３を用いてインターネット回線（図示せず）を介して電子申請操作を可能にする入力装置４及びディスプレイ５を有する操作端末装置６と、前記車検の電子申請を行う検査員の生体情報を取得する生体情報取得装置７（本実施例では指紋情報取得装置を使用している）と、前記生体情報取得装置７から得られた生体情報を記憶する記憶装置８と、前記検査員が前記車検の電子申請を行う際に、前記検査員の生体情報が取得されて前記記憶装置に記憶されていることを条件に前記操作端末からの前記車検の電子申請の配信を可能にする検査員証拠保全装置９と、を有する構成となっている。
【００１２】  前記記憶装置８は、前記生体情報を取得した日時を同時に記録するためのタイムスタンプ（現在時刻記憶装置）１０を併設しており前記生体情報を取得した日時を記憶している。そして生体情報の取得をして記憶装置に生体情報が記憶された場合にのみ、車検の電子申請の送信が可能なように検査員証拠保全装置９（操作端末装置６内の制御装置にプログラムされている）は、操作端末装置６を制御する。この際、検査員の生体情報の取得を条件に許可して車検の電子申請の送信を行った送信日時も、記憶装置８には前記検査員の生体情報と関連付けて記憶される。これらは、のちに誰がいつ車検の電子申請の送信を行ったかを、検証あるいは立証するため、記録日時等をキーにして記憶装置８の当該記憶内容を読出し可能なように、操作端末装置６（ＣＰＵ等の制御装置を含む）はプログラム動作する機能を有する。以上の動作を行う操作端末装置６は、パソコンやインターネット端末等が使用可能である。また、記憶装置８は書き変えが不可能なリードオンリーメモリがふさわしい。書き変えを防ぐ安全プログラムも必要に応じて使用される。
【００１３】  更に、記憶装置８は、生体情報の取得を条件にして行った前記車検の電子申請内容又は車検の対象となる車の検査結果に関する情報を前記検査員の生体情報と関連付けて記憶する構成としている。また、記憶装置８は、少なくとも、かじ取り装置、ブレーキドラムおよびブレーキシューを含む制動装置、ホイール等の走行装置、エア・サスペンションなどの緩衝装置、クラッチ等の動力伝達装置、バッテリー等の電気装置、エンジン、ばい煙および警報機について順次検査を行うに際して、実際の検査を当該自動車の検査員が当該自動車に対して行う状態の写真情報又は動画情報を、前記検査員の生体情報と関連付けて記憶する構成としている。
【００１４】  以上のようなシステムでは、車検申請の際に、ユーザーＩＤとパスワードが盗用され、あるいは疑わしい場合が生じた場合でも、検査員の生体情報の取得を条件にして車検の電子申請の送信が行われるので、これを行った検査員本人が、自己の行った申請日時と生体情報の立証・確認が可能であり、ユーザーＩＤとパスワードが盗用されても、記憶装置８の内容を読出して立証ができる構成となっている。以上に示す記憶装置８や検査員証拠保全装置９は、操作端末装置６内あるいは独立した制御装置１１にプログラムされ行われるものであり、電子計算機いわゆる操作端末装置６が使用される。記憶装置８の内容を読出して立証するために、操作端末装置６は記憶装置８の内容をプリンター（図示せず）に打ち出すことが可能な構成を有している、また、記憶装置８の内容をディスプレイ５に表示することもできる。打ち出す内容または表示する内容は、検査員本人が、自己の行った申請日時における申請の事実とその際に記録・登録した生体情報の立証・確認が可能なように、個人情報としての指紋情報、更には静脈や網膜等の情報と、当該検査員が車検の電子申請を行う際に、前記操作端末からの前記車検の電子申請の配信・証明が行われた事実を示すデータ（特に重要な当該自動車の保安基準適合証の番号（当該自動車検査員の証明行為に対して付与されるもの）や証明された検査の検査年月日、時間、検査員氏名、車種、使用者名、整備完了年月日、総走行距離、検査実施者、整備実施者等と、を関連して出力・表示する構成としている。
【００１５】  自動車の車検は、対象となる当該自動車を指定自動車整備事業者の検査員が法定の検査作業手順に従い行う。この検査作業は、道路運送車両法および施行規則の規程に従い行うものであり、少なくとも、かじ取り装置、ブレーキドラムおよびブレーキシューを含む制動装置、ホイール等の走行装置、エア・サスペンションなどの緩衝装置、クラッチ等の動力伝達装置、バッテリー等の電気装置、エンジン、ばい煙および警報機等について順次検査を行う。次に検査整備記録簿を作成するために、操作端末装置６への入力作業を行う。入力作業においては、当該自動車の車種と使用者名の入力、検査作業の結果の入力、検査年月日、完了年月日、総走行距離、検査実施者、整備実施者の必要項目を適宜入力する。操作端末装置６により入力作業で得た各データは相互に関連つけて記憶装置８に記憶される。
【００１６】  このようにして確認され検査を行う際に、実際の検査を当該自動車の検査員が当該自動車に対して行う状態を写真情報又は動画情報が、前記検査員の生体情報と関連付けて記憶装置８に記憶される（合わせて記憶日時も記録される）。これらの画像は実際の検査の実施の確認映像情報とし、電子的情報として記憶装置８に個人情報（指紋情報等）と関連付けて記録することで、当該検査員以外の行う違法な車検の申請があった時に、本人以外が行っているものであることが立証できる。個人情報は、指紋情報のほか、静脈や網膜等が利用出来る。これらの記憶時には、他の情報（当該自動車の車種と使用者名、検査年月日、整備完了年月日、総走行距離、検査実施者、整備実施者等）が生体情報と相互に関連付けて記憶装置８に記憶される。
【産業上の利用可能性】
【００１７】  本発明の車検電子申請システムによれば、車検申請の際に、ユーザーＩＤとパスワードが盗用されたり、あるいは疑わしい場合が生じた場合でも、実際に申請した検査員の生体情報の取得を条件にして車検の電子申請の送信が行われるので、これを行った検査員本人が、自己の行った申請日時と生体情報の立証・確認をすることが可能であり、高度な個人情報認証システムが必要でなく、また生体の汚れなどで、自分の生体確認が取れず車検の電子申請ができない不都合がなく、時間的にも作業的にも効率よく、広く指定自動車整備事業者が利用できる。
【符号の説明】
【００１８】１  車検電子申請システム、２  インターネット接続ソフトウェア、３  インターネット接続ターミナル、４  入力装置、５  ディスプレイ、６  操作端末装置、７  生体情報取得装置、８  記憶装置、９  検査員証拠保全装置。
【図１】
2019021280.tif 000003